(57)【要約】【課題】音楽と画像を簡単に設定して出力する携帯型音楽画像出力装置、このような音楽画像の設定方法、プログラム及び記録媒体を提供する。【解決手段】携帯型音楽画像出力装置１は、表示部３と操作部４を備える。操作部４は、回動操作の第１操作部材５、揺動操作の第２操作部材６、押圧操作の第３操作部材７の３つの操作部材からなる。画面設定部によって作成された音楽設定画面と画像設定画面が表示部３に表示される。音楽設定画面上で第２操作部材６によって音楽が選択される。続いて画像設定画面が表示され、画像設定画面上で第１操作部材５によって出力させる画像が、第２操作部材６によって出力させる画像に施す効果処理の種類が選択される。第３操作部材７で外部装置への出力が決定される。【選択図】図１
2007171732.tif 000002
【特許請求の範囲】
【請求項１】
記憶部に記憶される音楽及び画像を外部装置に出力する出力部と、
出力される音楽を設定するための音楽設定画面、及び出力される画像を設定するために出力候補画像と出力画像が並べて配置される画像設定画面を作成する設定画面作成部と、
前記音楽設定画面及び画像設定画面が表示される表示部と、
前記音楽設定画面及び画像設定画面上での指示操作を行う操作部と、
前記音楽設定画面上での音楽設定後に設定された音楽を出力させるとともに、音楽設定画面を画像設定画面に切換えて、設定音楽と共に出力される画像を、操作部の指示によって前記音楽とは独立して設定させるよう制御する制御部を備える
ことを特徴とする携帯型音楽画像出力装置。
【請求項２】
前記操作部は、出力される画像を選択するための第１操作部材と、出力される音楽を選択するための第２操作部材、および選択された音楽と画像の出力を指示するための第３操作部材、の少なくとも３つの操作部材から一体的に構成される
ことを特徴とする請求項１に記載の携帯型音楽画像出力装置。
【請求項３】
前記設定画面作成部は、出力候補画像として複数の画像を表示させ、出力候補画像の中の１の画像を指定画像とし、他の出力候補画像と区別できるように表示させる
ことを特徴とする請求項１記載の携帯型音楽画像出力装置。
【請求項４】
前記設定画面作成部は、前記画像設定画面として、出力画像への表示効果を選択させるための表示を含む画面を作成する、
ことを特徴とする請求項１に記載の携帯型音楽画像出力装置。
【請求項５】
前記設定画面作成部は、前記表示効果を選択させるための表示として、前記出力画像に表示効果の種類に応じた色を付する
ことを特徴とする請求項４に記載の携帯型音楽画像出力装置。
【請求項６】
前記操作部は、本体部の幅方向に平行な方向を回動中心として本体部に対して回動可能に取り付けられる円柱形状の第１操作部材と、
第１操作部材と同軸状でかつ第１操作部材の回動と独立して揺動可能に取り付けられ、円柱形状の第１操作部材の外側に操作つまみを有する第２操作部材と、
第２操作部材の外側であって円柱形状の第１操作部材を延長させた位置に設けられ、第１操作部の回動中心を操作方向とする第３操作部材、の少なくとも３つの操作部材から一体的に構成される、
ことを特徴とする請求項４に記載の携帯型音楽画像出力装置。
【請求項７】
前記第１操作部材は出力される画像の選択に用いられ、前記第２操作部材は出力される画像の表示効果の選択に用いられる
ことを特徴とする請求項６記載の携帯型音楽画像出力装置。
【請求項８】
記憶部に記憶される音楽及び画像を外部装置に出力する出力部と、
出力される音楽及び画像を設定するための設定画面を作成する設定画面作成部と、
設定画面が表示される表示部と、
正面に表示部が備えられる本体部の側面から突出するように設けられ、前記設定画面上で指示操作を行う操作部と、備え
前記操作部は、本体部の幅方向に平行な方向を回動軸として本体部に対して回動可能に取り付けられる円柱形状の第１操作部材と、
第１操作部材と同軸状でかつ第１操作部材の回動と独立して揺動可能に取り付けられ、円柱形状の第１操作部材の外側に操作つまみを有する第２操作部材と、
第２操作部材の外側であって円柱形状の第１操作部材を延長させた位置に設けられ、第１操作部の回動中心を操作方向とする第３操作部材、の少なくとも３つの操作部材から一体的に構成され、
前記設定画面作成部は、画像設定時に第１操作部材の操作があったときはその回動方向と同方向に画像がスクロール移動するように画面を作成し、音楽設定時に第２操作部材の操作があったときにはその揺動方向と同方向に曲名をスクロール移動するように画面を作成する
ことを特徴とする携帯型音楽画像出力装置。
【請求項９】
前記設定画面作成部は、画像設定時に前記第２操作部材によって選択される表示効果の種類に応じた色を出力画像の一部に付する
ことを特徴とする請求項８に記載の携帯型音楽画像出力装置。
【請求項１０】
前記第３操作部材は、設定画面上で選択された音楽と画像を外部装置へ出力させることを決定するための操作部材である
ことを特徴とする請求項８に記載の携帯型音楽画像出力装置。
【請求項１１】
記憶部に記憶される音楽及び画像を外部装置に出力する出力部と、
出力される音楽を設定するための音楽設定画面、及び出力される画像を設定するために出力候補画像と出力画像が並べて配置される画像設定画面を作成する設定画面作成部と、
前記音楽設定画面及び画像設定画面が表示される表示部と、
音楽設定画面で選択された音楽及び画像設定画面で選択された画像の外部装置への出力を指示する操作部と、
前記操作部による外部装置への出力指示がある前に前記選択された音楽を視聴するためのモニター部を備える
ことを特徴とする携帯型音楽画像出力装置。
【請求項１２】
携帯型音楽画像出力装置における出力される音楽と画像を設定する音楽と画像の設定方法において、
音楽設定画面を表示させ、この音楽設定画面で音楽が設定されると設定された音楽を出力するとともに、設定画面を音楽設定画面から画像設定画面に切換えて、この画像設定画面では出力候補画像と出力画像を並列して表示させ、出力中の音楽とは独立して操作指示に応じて出力される画像を切換える
ことを特徴とする音楽と画像の設定方法。
【請求項１３】
携帯型音楽画像出力装置における出力される音楽と画像を設定する音楽と画像の設定方法をコンピュータに実行させるプログラムにおいて、
上記音楽と画像の設定方法は、
音楽設定画面を表示させ、この音楽設定画面で音楽が設定されると設定された音楽を出力するとともに、設定画面を音楽設定画面から画像設定画面に切換えて、この画像設定画面では出力候補画像と出力画像を並列して表示させ、出力中の音楽とは独立して操作指示に応じて出力される画像を切換える
ことを特徴とするプログラム。
【請求項１４】
携帯型音楽画像出力装置における出力される音楽と画像を設定する音楽と画像の設定方法をコンピュータに実行させるプログラムを記憶したコンピュータ読取可能な記録媒体において、
上記音楽と画像の設定方法は、
音楽設定画面を表示させ、この音楽設定画面で音楽が設定されると設定された音楽を出力するとともに、設定画面を音楽設定画面から画像設定画面に切換えて、この画像設定画面では出力候補画像と出力画像を並列して表示させ、出力中の音楽とは独立して操作指示に応じて出力される画像を切換える
ことを特徴とするコンピュータ読取可能な記録媒体。
【発明の詳細な説明】
【技術分野】
【０００１】
この発明は、音楽と画像を出力する装置に関するもので、特にプレゼンテーションやパーティ等の場所に簡単に持ち運べて、音楽を流しながら画像を見せるに適した携帯型音楽画像出力装置に関する。
【背景技術】
【０００２】
たいがいのパーティやプレゼンテーションでは、大型のテレビやスクリーンを使っての画像再生が行われる。このようなプレゼンテーション用の装置として例えば、発表原稿順序の変更等の臨機応変なプレゼンテーションをするために、制御部が次の画面がどの画面かの情報を入手し、表示部に発表者用画面と聴衆用画面に表示させる装置が提案されている（特許文献１）。
【０００３】
またこれらパーティやプレゼンテーションの会場では、大型の表示装置に画像を表示させるだけではなく、音楽もあわせて流されることが多い。結婚式等のパーティでは音楽と画像をうまく使うと、その会をより盛り上げることができる。またプレゼンテーションたとえば商品説明でも、説明用の画像を表示させながらバックに商品イメージにあった音楽を流すことによって、全体の雰囲気が向上するからである。
【０００４】
このような画像と音楽を同時に扱うことのできる画像音楽装置として、デジタル形式の複合装置が色々提案がされている。例えば、音声データの再生時において、予め設定されている音声と画像との対応付けデータを参照し、対応付けされた画像をＬＣＤの表示画面に表示させて、音楽にあわせて画像も同時に楽しむ装置が提案されている（特許文献２）。
【０００５】
また、パーティやプレゼンテーション用装置では携帯性と操作性も重要である。操作性を考慮した装置として、各種情報が表示されるＬＣＤ表示部の横に回動する音量操作つまみを設けて、操作性を向上させたポータブルオーディオ用のリモコンも提案されている（特許文献３）。
【特許文献１】特開平１０−２３２６５７号公報
【特許文献２】特開２００２−１２３２７３号公報
【特許文献３】特開２００３−５２０８９号公報
【発明の開示】
【発明が解決しようとする課題】
【０００６】
大容量メモリが手軽に利用できる環境になったことから、上記プレゼンテーションやパーティの場面では、画像と音楽を同時に取り扱えるデジタル装置が利用される機会が多い。とはいえ、映画のように最初から音楽と画像が同期して出力されるメディアを流す場合は別として、デジタルカメラで個人的に撮影したような画像を使う場合には、現状は適当なＢＧＭを流す程度のことしか行われない。しかしこのように単に音楽と画像を大型のテレビジョンから流す程度では、十分な演出効果を挙げることはできない。自分だけの楽しみであればこれでも十分であろうが、多数の他人に見せる場面では、より効果的な演出が求められる。とはいえ従来の装置はそのような用途は想定されておらずそのような機能も備えていないので、このような装置を用いて音楽と画像を組み合わせてかつ素早く出力するのは、熟練者でなければ難しい技である。
【０００７】
また、プレゼンテーションやパーティ用の装置にはこのような機能とこれに加えて、主に外で使用することになるから、特許文献１のような大型画面ではなく、小型でかつその操作も簡単であることもあわせて求められる。
【０００８】
この発明は、このような事情に鑑みてなされたものであり、持ち運びが手軽で操作性に優れ、音楽と画像を簡単に設定して出力する携帯型音楽画像出力装置、このような音楽と画像の設定方法、プログラム及び記録媒体を提供することを目的とする。
【課題を解決するための手段】
【０００９】
上記目的を達成するために、本発明による携帯型音楽画像出力装置は、記憶部に記憶される音楽及び画像を外部装置に出力する出力部と、出力される音楽を設定するための音楽設定画面、及び出力される画像を設定するために出力候補画像と出力画像が並べて配置される画像設定画面を作成する設定画面作成部と、前記音楽設定画面及び画像設定画面が表示される表示部と、前記音楽設定画面及び画像設定画面上での指示操作を行う操作部と、前記音楽設定画面上での音楽設定後に設定された音楽を出力させるとともに、音楽設定画面を画像設定画面に切換えて、設定音楽と共に出力される画像を、操作部の指示によって前記音楽とは独立して設定させるよう制御する制御部を備えることを特徴とする。
【発明の効果】
【００１０】
この発明によれば、音楽と画像を簡単に設定して出力する携帯型音楽画像出力装置、このような音楽画像の設定方法、プログラム及び記録媒体を提供することができる。
【発明を実施するための最良の形態】
【００１１】
以下、図面を参照してこの発明の実施形態について説明する。
【００１２】
図１（Ａ）は、本実施形態に係る携帯型音楽画像出力装置１（以下出力装置１と略す）の外観図である。同図（Ｂ）は、第２操作部材の揺動操作を説明するための図である。
【００１３】
出力装置１は、横長形状の本体部２と、本図で見て本体部２の右側面に突出するよう設けられる操作部４とから主に構成される。本体部２の内部には後述する各電気処理部が内蔵され、本体部２の正面には横長の表示部３が設けられる。表示部３の大きさは、本体部２の正面の大部分を占めるような大きさである。表示部３には、出力させる曲や画像を設定するために、曲名や画像が表示される。
【００１４】
操作部４は、第１操作部材５、第２操作部材６、第３操作部材７の３つの操作部材から構成される操作ユニットである。
【００１５】
第１操作部材５は、指で回動されるような円柱形状の外観で、本体部２の右側面に突出して設けられる。そして、第１操作部材５は、Ｐを回動軸とし５ａを回動方向として、正逆いずれにも回動可能に本体部２に取り付けられる。回動軸Ｐの方向は、本体部２の幅方向に平行な方向である。
【００１６】
第２操作部材６は、矩形の枠形の形状で、枠型の左右の辺の内側で第１操作部材５の円柱状の両端を挟むように、本体部２に対して設けられる。そして、第２操作部材６は第１操作部材の外側に操作つまみを有し、第１操作部の回動軸Ｐと同軸回りに、第１操作部材５の回動とは独立して、一定角度の範囲で揺動可能なように本体部２に対して取り付けられる。
【００１７】
第２操作部材６の揺動操作方向を同図（Ｂ）で説明する。同図（Ｂ）は、同図（Ａ）を矢視Ｑ方向から見た場合で、第２操作部材６を主とする簡略図である。第２操作部材６として、実線で示される位置が第２操作部材６の中立位置である。操作者によって、この中立位置から反時計方向である６ａと時計方向である６ｂに、それぞれ例えば３０度揺動操作される。破線で示される位置が、揺動操作された第２操作部材６の位置を示す。そして第２操作部材６から操作者の指が離されると、第２操作部材６は実線で示される中立位置に復帰する。この復帰手段が図示しないが操作部４の内部に設けられている。
【００１８】
次に第３操作部材７は、第２操作部材６の外側であって円柱状の第１操作部材５を延長させた位置に、第１操作部材５の外形と同一径のつまみとして設けられる。第３操作部材７は、操作者の指により７ａ方向に押圧操作される。指を離すと、元の位置に復帰する。
なお、図面では隠れて見えないが、本体部２の底面にはキャンセルボタン８、本体部２の向かって左側面にはモニター出力端子３２が設けられる。
【００１９】
図２は、操作者によって両手で持たれ操作されている出力装置１を示す図である。操作者は表示部３を見ながら操作部４を操作して、音楽や画像を切換える。
【００２０】
図３は、更に出力装置１の各操作部材ごとの操作態様を示す図である。同図（Ａ）は、右手の指で、第２操作部材６が前後に揺動操作される状態を示す。同図（Ｂ）は、右手の指で、第１操作部材５が回動操作される状態を示す。同図（Ｃ）は、右手の指で、第３操作部材７が水平方向に押圧操作される状態を示す。
【００２１】
図４は、出力装置１の具体的な使用例の様子を示す図である。出力装置１とこの出力装置１に外部装置としての大型のテレビ装置４０が接続され、これを家族で楽しんでいる場面である。出力装置１から音楽と画像のデータが、例えば無線ＬＡＮや赤外通信によって、無線ＬＡＮに対応するテレビ装置４０に伝送される。もちろん、通信手段は無線に限ることはなく、例えばビデオケーブルを介して音声画像信号（ビデオ信号）をテレビ装置４０に出力させてもよい。
【００２２】
会議等のプレゼンテーションや大きなパーティの場面では、さらに多人数で画像が見られるように、このような大型のテレビ装置４０を複数設置したり、あるいは表示装置にプロジェクタを利用して、画像をスクリーンに映し出すようにしてもよい。また外部装置としては、パーソナルコンピュータ（ＰＣ）を経由してプロジェクタを利用しても良い。外部装置の種類は問わない。
【００２３】
図５は、出力装置１の主要構成を示すブロック図である。
【００２４】
出力装置１には、装置全体の制御を司るＣＰＵ２０が備えられる。ＣＰＵ２０には、ＣＰＵ２０の制御プログラムを格納するＲＯＭ２２と、各種操作指示をＣＰＵ２０に通知するための操作群２１が接続される。操作群２１には、前述の操作部４とキャンセルボタン８が含まれる。キャンセルボタン８は、画像設定画面から音楽設定画面に移行させるボタンである。またＲＯＭ２２には、制御プログラム以外に保存用のデータも記憶される。
【００２５】
出力装置１には、画像データが保存される画像記録媒体２３と、音楽データ及び曲リストが保存される音楽記録媒体２４が設けられる。音楽データの形式としては、ＭＰ３形式、ＭＩＤＩ形式、ＷＡＶ形式等、形式は問わない。いずれも不揮発性例えばフラッシュメモリから構成され、画像記録媒体２３はカードメディアの形態で着脱自在に取り付けられ、音楽記録媒体２４は内蔵される。これら記録媒体を外付けするか内蔵にするかは、任意の選択事項である。画像記録媒体２３が装着されていない状態では、出力装置１は通常の音楽プレーヤとしても利用できる。
【００２６】
また出力装置１には、画像処理部２５、画面作成部２６、ＲＡＭ２４、画像出力部２８、音楽処理部２９、音楽出力部３０、通信部３１、モニター出力端子３２、表示部３が設けられる。
【００２７】
画像処理部２５は、画像記録媒体２３から圧縮された画像データを読み出し、読み出した画像データを伸張し各種表示用の処理を施す。音楽処理部２９は、音楽記録媒体２４から圧縮された音楽データを読み出し、読み出した音楽データを伸張し各種音楽処理を施す。
【００２８】
ＲＡＭ２４は、画像処理部２５による各種処理のために画像データを一時的に記憶したり、音楽処理部２９による各種処理のために音楽データを一時的に記憶するバッファーメモリである。
【００２９】
画像出力部２８は、画像処理部２５で所定の画像処理された画像データを通信部３１に出力する。音楽出力部３０は、音楽処理部２９で所定の音楽処理された音楽データを通信部３１に出力する。また音楽出力部３０は、Ｄ／Ａ変換してアナログ音声信号をモニター出力端子３２から出力する。
【００３０】
通信部３１は、画像出力部２８と音楽出力部３０から出力される画像データと音楽データを通信用のデータに変換して送信し、あるいは外部装置から送信されるデータを受信する通信Ｉ／Ｆ部である。そして、通信部３１から送信された画像データと音楽データは、対応する通信部（例えば、無線ＬAＮ、赤外通信）をそなえるテレビ装置４０やプロジェクタ４１で受信される。出力された画像と音楽が、テレビ装置４０あるいはプロジェクタ４１で、表示され、付属のスピーカから流される。
【００３１】
モニター出力端子３２は、接続される操作者のヘッドフォーンに、音声出力部３０から出力されるアナログ音声信号を出力する端子である。操作者が出力される音楽の内容や音量等を、事前にあるいは同時に確認できるようにするためである。なお、モニター出力端子３２より音楽を出力するに際しては、音楽出力部３０が通信部３１へは出力せずにモニター出力端子３２のみに出力することも可能に制御される。
【００３２】
画面作成部２６は、音楽設定画面と画像設定画面を作成する。音楽設定画面は出力させる音楽を選択するための画面で、図６で詳述する。画像設定画面は出力画像とその表示効果を選択するための画面で、図７，８で詳述する。表示部３は、画像を表示する素子例えばＬＣＤ（Liquid Crystal Display）から成る。
【００３３】
次に、図６〜図９により設定画面の具体的な表示例を説明する。
【００３４】
図６は音楽設定画面の切換わり例を示す図である。音楽設定画面は画面設定部３によって作成されて表示部３に表示される。同図（Ａ）は、ある時点での音楽設定画面Ｍの画面である。画面には、枠で囲まれた５つの曲名が上下に重ねるように並べて表示される。そして、更に５つの曲名の中で、中央に位置して、太枠で囲まれて表示される曲が指定曲Ｍ１である。指定曲Ｍ１は出力候補の曲である。
【００３５】
ただし、この状態では、音声出力部２９は指定曲をモニター出力端子３２にのみ出力するよう制御される。つまり、この指定曲はモニター出力端子３２からは出力されて操作者は聴くことができるが、通信部３１からは出力されず聴衆は聴くことができない状態である。従って、モニター出力端子３２に接続されたモニタスピーカからは曲が出力されるが、音声出力部３０から通信部３１へは音楽は出力されないので、外部装置であるＴＶ等から指定曲は出力されない。これにより操作者は、音楽を流すに先立って周りに知られずに曲内容を確認できる。
【００３６】
この音楽設定画面Ｍの作成手順を簡単に説明する。ＣＰＵ２０が第２操作部材６からの操作通知を受けて、音楽記録媒体２４から曲リストデータを読み出す。画面作成部２６は、ＣＰＵ２０からの指示に応じてその一部を抽出した曲リストを作成する。そして画面作成部２６は、作成した曲リストからなる画面に対応する画像データを表示部３に出力する。これにより、表示部３に図６に示すような音楽設定画面Ｍが表示される。そして、画面作成部２６は第２操作部材６の更なる揺動操作で曲名を切換え、音声出力部３０は第１操作部材５の回動で音量を調整する。
【００３７】
次に操作者により第２操作部材６が、奥の方向（図１（Ｂ）で示す６ｂ方向）に揺動操作されたとする。この操作に合わせて、画面設定部３は曲名を画面の上方向にスクロールさせた音楽設定画面Ｍを作成、表示を更新する。
【００３８】
同図（Ｂ）は、このスクロール途中の音楽設定画面Ｍである。同図（Ｃ）は、図（Ａ）から１曲分上にスクロールされた音楽設定画面Ｍである。指定曲Ｍ１の曲名が切換わって表示される。同時に、ＣＰＵ２０がモニター出力端子３２から切換えられた曲を出力させる。そして操作者がこの曲を確認して、第３操作部材７を押圧操作すると、ＣＰＵ２０がこの曲を通信部３１から出力させる。これで例えばテレビ装置４０のスピーカからこの曲が流れる。
【００３９】
また、操作者は第３操作部材７を押圧して音楽を流すに先立って、ヘッドフォーンでモニタして、第１操作部材５を操作して音量調整をしても良い。第１操作部材５の回動に応じて音量が調整される。これにより操作者は、音楽を流すに先立って周りに迷惑をかけずに音量を調整することができる。第３操作部材７による押圧操作で音楽が決定されると、自動的に音楽設定画面から画像設定画面に移行する。
【００４０】
図７は、画像設定部３によって作成されて表示部３に表示される画像設定画面Ｄを示す図である。
【００４１】
同図（Ａ）は、画像設定画面Ｄで表示される項目を説明する図である。画像設定画面Ｄでは、画面の左側に出力画像Ｄ１、右側に出力候補画像Ｄ２が配置される。出力画像Ｄ１は、通信部３１から外部のテレビ装置４０に実際に出力されている画像を示すものである。出力候補画像Ｄ２は、複数の縮小画像が縦方向に並んで配置されるが、その中央の画像が指定画像Ｄ３である。指定画像Ｄ３は、出力予定の画像である。また、出力画像Ｄ１を取り囲むように枠Ｅを配置する。枠Ｅは表示効果の種類を色で示すものである。設定された表示効果に応じた色が配色される。
【００４２】
この画像設定画面Ｄの作成手順を簡単に説明する。ＣＰＵ２０が第１操作部材５からの通知を受けて表示される画像を決定し、この画像を画像記録媒体２３から読み出し画像処理部２５で所定の処理をさせる。画面作成部２６は、画像処理部２５で伸張処理等された画像を画面表示用に縮小処理し、ＣＰＵ２０からの指示に応じて決められたサイズと順番でこの画像を配列する。あわせて、画像の枠の色を、表示効果の種類に対応した色にする。そして画面作成部２６は、作成した画面に対応する画像データを表示部３に出力する。
【００４３】
同図（Ｂ）は、ある時点での画像設定画面Ｄの画面である。画面左側が出力画像Ｄ１、右側が出力候補画像Ｄ２である。ここで、出力候補画像Ｄ２として、真中に指定画像Ｄ３、その上下に指定画像Ｄ３に対してコマ番号で前後する２つの画像、の計３つの画像が表示される。中央の指定画像は、前後の２つの画像よりも大きなサイズで表示される。またこの状態は、指定画像Ｄ３と出力画像Ｄ１が一致している状態である。なお、第３操作部材７による画像の出力指示操作がされていない状態では、左の出力画像Ｄ１は空白の状態で表示される。
【００４４】
次に操作者により第１操作部材５が、向かって左から見て時計方向に回動操作されたとする。すると、出力候補画面Ｄ２が画面上方向にスクロールされる。まず、同図（Ｃ）は、スクロール途中の画像設定画面Ｄである。ここで、出力候補画面Ｄ２が画面上方向にスクロールされて、図（Ａ）で下位置にあった画像が上に移動されて大きなサイズになる。
【００４５】
同図（Ｄ）は、スクロールされて指定画像Ｄ３が１つ下の画像（次のコマ番号の画像）に切換わり、さらに更に第３操作部材７が押圧操作されたとして、出力される画像がこの指定画像に切換えられた画像設定画面Ｄである。これにより通信部３１から、出力画像Ｄ１で示される画像が送信され、この画像がテレビ装置４０に表示される。
【００４６】
図８は、表示効果の例を具体的に示す画像設定画面Ｄを示す図である。ここで操作部４の記載は省略してある。表示効果とは、出力される画像に加えられる動的な効果のことである。表示効果の種類は、第２操作部材６の揺動操作によって選択される。そして、ＣＰＵ２０は、この第２操作部材６からの通知を受け、表示効果の種類を画像処理部２５に指示する。画面設定部２６は表示効果の種類にあわせて枠の色Ｅを設定する。そして、画像処理部２５は、画像が既に外部に出力指示されている場合には直ちに、一方画像が出力されていない場合には、操作部材７による画像の出力指示があったさいに、出力画像に選択された種類に応じた動的な画像処理を施す。
【００４７】
図８の（Ａ１からＡ３）と（Ｂ１からＢ３）は、それぞれの効果による時間的に変化する画像の様子を簡単に示している。枠Ｅの色が黄緑色の場合には、表示効果として（Ａ１からＡ３）のような効果が設定される。この効果が選ばれると、同図Ａ１からＡ３で示すように、画像はその中心部ですばやく拡大され、あわせて水玉のオブジェクトをすばやく拡大させるような表示がされる。
【００４８】
枠Ｅの色が赤の場合には、表示効果として（Ｂ１からＢ３）のような効果が設定される。この効果では、同図Ｂ１からＢ３で示されるように、画像はその上部から下部に表示する場所が次第に変化するように表示される。
【００４９】
図９は、表示効果と対応する枠Ｅの色との関係を示す表である。出力画像に表示効果を付さないときは、枠Ｅは無色で表示される。またこれら８つの表示効果は画像処理部２５に用意されている。操作部材６の揺動操作、例えば６ａ方向で表を下方向に、逆に６ｂ方向で表を上方向に進むようにし、この表に沿って表示効果がサイクリックに切換わる。
【００５０】
以上のように変化を付けた表示をすることにより、出力される画像が静止画像の場合でも、見る人が退屈することを防止することができる。また、その場の雰囲気や音楽に合わせて、適切な表示効果を選択するとさらに効果的である。
【００５１】
以上の構成による出力装置１の特徴的な構成を以下に記す。
１）記憶部（画像記録媒体２３、音楽記録媒体２４）に記憶される音楽及び画像を外部装置に出力する出力部（画像出力部２８、音楽出力部３０）と、
出力される音楽を設定するための音楽設定画面Ｍ、及び出力される画像を設定するために出力候補画像Ｄ２と出力画像Ｄ１が並べて配置される画像設定画面Ｄを作成する設定画面作成部（画面作成部２６）と、
前記音楽設定画面及び画像設定画面が表示される表示部３と、
前記音楽設定画面及び画像設定画面上での指示操作を行う操作部４と、
前記音楽設定画面上での音楽設定後に設定された音楽を出力させるとともに、音楽設定画面を画像設定画面に切換えて、設定音楽と共に出力される画像を、操作部の指示によって前記音楽とは独立して設定させるよう制御する制御部（ＣＰＵ２０）を備える。
２）記憶部に記憶される音楽及び画像を外部装置に出力する出力部（画像出力部２８、音楽出力部３０）と、出力される音楽及び画像を設定するための設定画面を作成する設定画面作成部（画面作成部２６）と、
設定画面が表示される表示部３と、
正面に表示部が備えられる本体部の側面に突出するように設けられ、前記設定画面上で指示操作を行う操作部４と、備え
前記操作部は、本体部の幅方向に平行な方向を回動軸として本体部に対して回動可能に取り付けられる円柱形状の第１操作部材５と、
第１操作部材と同軸状でかつ第１操作部材５の回動と独立して揺動可能に取り付けられ、円柱形状の第１操作部材５の外側に操作つまみを有する第２操作部材６と、
第２操作部材６の外側であって円柱形状の第１操作部材５を延長させた位置に設けられ、第１操作部５の回動中心を操作方向とする第３操作部材７、の少なくとも３つの操作部材から一体的に構成され、前記設定画面作成部（画面作成部２６）は、画像設定時に第１操作部材５の操作があったときはその回動方向と同方向に画像がスクロール移動するように画面を作成し、音楽設定時に第２操作部材６の操作があったときにはその揺動方向と同方向に曲名をスクロール移動するように画面を作成する。
３）２）に加えて、前記設定画面作成部（画面作成部２６）は、画像設定時に前記第２操作部材６によって選択される表示効果の種類に応じた色を出力画像の一部に付する
４）２）に加えて、前記第３操作部材７は、設定画面上で選択された音楽と画像を外部装置へ出力させることを決定するための操作部材である。
【００５２】
次に、図１０から図１２により、この実施例の制御処理の手順を説明する。この制御処理は、制御部であるＣＰＵ２０が、画像処理部２５、画面作成部２６  画像出力部２８、音楽出力部３０、通信部３１等を制御することで実行される。
【００５３】
図１０は、制御処理手順のメインのフローチャートである。まず、ＣＰＵ２０が画像記録媒体２３が装置に装着されているかを判断する（ステップＳ１）。画像記録媒体２３が装着されていなければ、内蔵の音楽記録媒体２４を利用する音楽プレーヤとして機能させる。音楽プレーヤの説明は、本願発明には直接関連がないので省略する。画像記録媒体２３が装着されていれば（ステップＳ１ＹＥＳ）、音楽設定のサブルーチンに進む（ステップＳ２）。
【００５４】
図１１は、音楽設定のサブルーチンを示すフローチャートである。まず、ＣＰＵ２０は画面作成部２６により音楽設定画面Ｍを作成させ、音楽設定画面Ｍを表示部３に表示させる（ステップＳ１０）。図６で示したような画面である。次に、第１操作部材５、第２操作部材６及び第３操作部材７の操作に応じた処理を並列的に実行する。
【００５５】
まず第２操作部材６の操作の有無を判断する（ステップＳ１１）。第２操作部材６の操作があれば（ステップＳ１１ＹＥＳ）、揺動の方向と角度に応じて曲名をスクロール変化させた音楽設定画面Ｍを作成させ表示させる（ステップＳ１２）。
【００５６】
そして、ステップＳ１３に進み、第１操作部材５の操作の有無を判断する。第１操作部材６の操作があれば（ステップＳ１３ＹＥＳ）、回動角度に応じたＣＰＵ２０の指示に応じて、音楽出力部３０に出力される音楽の音量を調整させる（ステップＳ１４）。
【００５７】
そして、ステップＳ１５に進み、第３操作部材７の操作の有無を判断する。第３操作部材５の操作があれば（ステップＳ１５ＹＥＳ）、現在の指定曲Ｍ１に音楽を切換えて出力させる。そして、図１０に戻り、画像設定（ステップＳ４）に進む。
【００５８】
図１２は、画像設定のサブルーチンを示すフローチャートである。まず、ＣＰＵ２０は画面作成部２６により画像設定画面Ｄを作成させ、画像設定画面Ｄを表示部３に表示させる（ステップＳ２０）。図７でしめしたような画面である。次に、第１操作部材５、第２操作部材６、第３操作部材７およびキャンセルボタン８の操作に応じた処理を並列的に実行する。
【００５９】
まず第１操作部材５の操作の有無を判断する（ステップＳ２１）。第１操作部材５の操作があれば（ステップＳ２１ＹＥＳ）、回動角度に応じて出力候補画像Ｄ２をスクロール変化させた画像設定画面Ｄを作成させ表示させ、画像選択を行わせる（ステップＳ２２）。
【００６０】
そして、ステップＳ２３に進み、第２操作部材６の操作の有無を判断する。第２操作部材６の操作があれば（ステップＳ２３ＹＥＳ）、揺動の方向と角度に応じて表示効果の種類で枠Ｅの色を変化させた画像設定画面Ｄを作成させ表示させ、効果選択を行わせる（ステップＳ２４）。
【００６１】
そして、ステップＳ２５に進み、第３操作部材７の操作の有無を判断する。第３操作部材７の操作があれば（ステップＳ２５ＹＥＳ）、出力画像に現在の指定画像Ｄ３に切換えて、この画像を出力させる。
【００６２】
そして、ステップＳ２７に進み、キャンセルボタン８の操作の有無を判断する。キャンセルボタン８の操作があれば（ステップＳ２７ＹＥＳ）、図１１で説明した音楽設定のサブルーチンに戻る。キャンセルボタン８の操作がなければ（ステップＳ２７ＮＯ）、ステップＳ２１に戻る。これで音楽を途中で切換えることができる。音楽切換えの必要がなければ、出力されている現音楽が終了するまで、音楽に合わせて画像とその表示効果を順次切換える操作を継続させる。
【００６３】
更にプレゼンテーションの終了後に、一連の操作手順をまとめてＲＯＭ２２に記憶させるようにしてもよい。そうすれば、再度その操作手順で行いたい場合に、手順データをＲＯＭ２２から読み出して、自動的に同一の手順で音楽と画像の再生をすることができる。
【００６４】
図１３は、第１実施例で示した操作部の変形例を示す図である。出力装置１の操作部の形態は図１の形態に限られるものでなく、様々な形態が許される。一例をここで示す。同図（Ａ）は出力装置５１の正面図で、同図（Ｂ）は上面図である。ここで示す出力装置５１は、図１で示した出力装置１とは、出力装置５１の本体部が横長形状でその正面に表示部３が設けられている点で同様であるが、操作部の形態の点が大きく異なっている。つまり図１で示す出力装置１の操作部４は、本体部２の横方向から操作する形式であるが、この図１３で示す操作部５４は、本体部２の正面方向から操作する形式になっている。
【００６５】
操作部５４は、第１操作部材５５、第２操作部材５６、第３操作部材５７からなる。第１操作部材５５は、リング状の操作部材で、５５ａで示す両方向に回動可能に取り付けられ、表示部３の表示面に水平な面で回動操作される。
【００６６】
第２操作部材５６は、第１操作部材５５の外周に設けられる細い幅のリング状の部材である。第２操作部材５６の周面には、指がかり用の突起部５６ｃが１８０度対象位置に２箇所形成される。第２操作部材５６は、第１操作部材５５の回動中心と同軸で、５６ａと５６ｂの両方向にそれぞれ３０度程度揺動操作される。
【００６７】
第３操作部材５７は、リング状の第１操作部材５５の中央部に設けられる円盤状の操作面を有し、この操作面は第１操作部材５５の操作面と同一高さである。第３操作部材５７は方向５７ａに押圧操作される。出力装置１の操作部を、このような操作部５４に変更しても、同様な効果が得られる。
【００６８】
以上の実施例で説明したように、画像の出力前に画像設定画面によって操作者が候補画像を見てその中から出力画像を選択でき、また音楽の出力前に音楽設定画面によって操作者が音楽を選択することができる。操作者が自分だけで曲を聴きながら出力する前に選択することができ、音量の調整もできる。また、画像設定画面に候補画像とともに出力画像もあわせて表示させるので、どの画像が現在表示中かも、外部装置を見ないでも簡単に判る。
【００６９】
また、操作性を重視した操作部を設けたので、選曲や画像選択が軽快にできる。特に、画像の選択と表示効果の選択が専用の操作部材で操作されるようにしたので、熟練者でなくとも、効果的な演出ができる。
【００７０】
また、画面をコンパクトにしかつ操作部も小型化できて、装置全体としての小型化が実現できたので、手軽に持ち運べ外に持ってゆくことができる。さらに、操作手順を記憶できるので、同じ表示を再度行いたいという場合も便利である。
【００７１】
以上の実施例では、ＣＰＵ２０によるソフトウェア処理と一部のハードウェアで実行されることを説明したが、全部をソフトウェア処理またはハードウェアで構成しても当然よい。
【００７２】
また、以上の実施例で示す制御処理は、それぞれ上記機能を実行するソフトウェアのプログラムがＣＰＵ２０に供給され、ＣＰＵ２０が供給されたプログラムに従って上記動作させることによって実現されるものである。従って、上記ソフトウェアのプログラム自体が上述した実施の形態の機能を実現することになり、そのプログラム自体は本発明を構成する。
【００７３】
また、本実施例は出力装置の例で説明したが、デジタルカメラにも適用できるのは当然である。また、対象とする画像を主に静止画として説明してきたが、動画にも当然適用できる。また、カメラも単体のデジタルカメラではなく、携帯電話のカメラ部にも適用しても当然によい。
【００７４】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７５】
【図１】図（Ａ）は、本実施形態に係る出力装置１の外観図である。同図（Ｂ）は、第２操作部材の揺動操作を説明するための図である。
【図２】操作者によって操作されている出力装置１を示す図である。
【図３】出力装置１の各操作部材の操作態様を示す図である。
【図４】出力装置１の具体的な使用場面の様子を示す図である。
【図５】出力装置１内部のブロック図である。
【図６】表示部３に表示される音楽設定画面Ｍを示す図である。
【図７】表示部３に表示される画像設定画面Ｄを示す図である。
【図８】表示効果の具体例が表示される画像設定画面Ｄを示す図である。
【図９】表示効果と対応する枠の色Ｅの関係を示す表である。
【図１０】本実施形態に係る制御処理手順のメインのフローチャートである。
【図１１】音楽設定に関する制御処理手順のサブのフローチャートである。
【図１２】画像設定に関する制御処理手順のサブのフローチャートである。
【図１３】操作部の変形例を示す図である。
【符号の説明】
【００７６】
１…出力装置、２…本体部、３…表示部、４…操作部、５…第１操作部材、
５ａ…第１操作部材の回動方向６…第２操作部材、６ａ、６ｂ…第２操作部材の揺動方向
７…第３操作部材、７ａ…第３操作部材の操作方向、８…キャンセルボタン、
２０…ＣＰＵ、２１…操作群、２２…ＲＯＭ、２３…画像記録媒体、２４…音楽記録媒体、２５…画像処理部、２６…画面作成部、２８…画像出力部、２９…音楽処理部、
３０…音楽出力部、３１…通信部、３２…モニター出力端子、４０…テレビ装置、
４１…プロジェクタ
Ｄ…画像設定画面、Ｄ１…出力画像、Ｄ２…出力候補画像、Ｄ３…指定画像、Ｅ…枠、
Ｍ…音楽設定画面、Ｍ１…指定曲、Ｐ…回動軸、
【図１】
2007171732.tif 000003
【図２】
2007171732.tif 000004
【図３】
2007171732.tif 000005
【図４】
2007171732.tif 000006
【図５】
2007171732.tif 000007
【図６】
2007171732.tif 000008
【図７】
2007171732.tif 000009
【図８】
2007171732.tif 000010
【図９】
2007171732.tif 000011
【図１０】
2007171732.tif 000012
【図１１】
2007171732.tif 000013
【図１２】
2007171732.tif 000014
【図１３】
2007171732.tif 000015